(57)【要約】【課題】タッチ表示装置はフラットパネルディスプレイにおいてタッチイベントを検出するために用いられる。【解決手段】フラットパネルディスプレイは、複数のソース線と、複数のソース線に対して垂直な複数のゲート線とを有する。タッチ検出方法は、複数の検出結果を生成するように、複数のゲート線信号を受け入れるときに、及び複数のゲート線のうちの１つのゲート線がゲート駆動信号を受け入れるときに、複数のソース線の波形を連続して検出する段階と、複数のゲート線に対する１つのゲート線の位置、及び前記複数の検出結果に従ったタッチイベントの状態を決定する段階とを有する。【選択図】  図２Ｃ
2011165190.tif 000002
【特許請求の範囲】
【請求項１】
フラットパネルディスプレイのタッチイベントを検出するタッチ検出方法であって、前記フラットパネルディスプレイは複数のソース線と、該複数のソース線に対して垂直な複数のゲート線とを有し、前記タッチ検出方法は：
複数の検出結果を生成するように、複数のソース駆動信号を受け入れるときに、及び前記複数のゲート線のうちの１つのゲート線がゲート駆動信号を受け入れるときに、前記複数のソース線の波形を連続して検出する段階；及び
前記複数の検出結果に従ったタッチイベントの状態と、前記複数のゲート線に対する前記ゲート線の位置とを決定する段階；
を有するタッチ検出方法。
【請求項２】
請求項１に記載のタッチ検出方法であって、前記複数の検出結果に従って前記タッチイベントの状態と、前記複数のゲート線に対する前記ゲート線の位置とを決定する前記段階は：
複数の比較結果を生成するように、前記複数のソース駆動信号が生成されるときに、前記複数のソース線の波形と前記複数の検出結果を連続して比較する段階；及び
前記複数の比較結果に従って前記タッチイベントの前記状態を決定する段階；
を有する、タッチ検出方法。
【請求項３】
請求項２に記載のタッチ検出方法であって、前記複数の比較結果に従って前記タッチイベントの前記状態を決定する前記段階は、前記複数の比較結果における比較結果が所定値より大きいときに、比較結果に対応するソース線と前記ゲート線との交差部分において前記タッチイベントが生じると判定する、タッチ検出方法。
【請求項４】
請求項２に記載のタッチ検出方法であって、前記複数の比較結果に従って前記タッチイベントの前記状態を決定する前記段階は、前記複数の比較結果が所定値より小さいときに、前記タッチイベントが生じないと判定する、タッチ検出方法。
【請求項５】
請求項２に記載のタッチ検出方法であって、前記複数の比較結果に従って前記タッチイベントの前記状態を決定する前記段階は、前記複数の比較結果における所定量の比較結果が所定値より大きいときに、誤判定が生じると判定する、タッチ検出方法。
【請求項６】
フラットパネルディスプレイのタッチイベントを検出するタッチ検出装置であって、前記フラットパネルディスプレイは複数のソース線と、該複数のソース線に対して垂直な複数のゲート線とを有し、前記タッチ検出装置は：
複数の検出結果を生成するように、複数のソース駆動信号を受け入れるときに、及び前記複数のゲート線のうちのゲート線がゲート駆動信号を受け入れるときに、前記複数のソース線の波形を連続して検出するタッチ検出ユニット；及び
前記複数の検出結果に従ったタッチイベントの状態と、前記複数のゲート線に対する前記ゲート線の位置とを決定する決定モジュール；
を有するタッチ検出装置。
【請求項７】
請求項６に記載のタッチ検出装置であって、前記決定モジュールは：
複数の比較結果を生成するように、前記複数のソース駆動信号が生成されたときに、前記複数のソース線の波形と前記複数の検出結果を連続して比較する比較ユニット；及び
前記複数の比較結果に従って前記タッチイベントの状態を判定する論理ユニット；
を有する、タッチ検出装置。
【請求項８】
請求項７に記載のタッチ検出装置であって、前記論理ユニットは、前記複数の比較結果における比較結果が所定値より大きいときに、前記タッチイベントが比較結果に対応するソース線と前記ゲート線との交差部分において生じると判定する、タッチ検出装置。
【請求項９】
請求項７に記載のタッチ検出装置であって、前記論理ユニットは、前記複数の比較結果が所定値より小さいときに、前記タッチイベントが生じないと判定する、タッチ検出装置。
【請求項１０】
請求項７に記載のタッチ検出装置であって、前記論理ユニットは、前記複数の比較結果における所定量が所定値より小さいときに、誤判定が生じると判定する、タッチ検出装置。
【請求項１１】
表示機能及びタッチ機能を有するフラットディスプレイ装置であって：
複数の画素ユニット、複数のソース線及び該複数のソース線に対して垂直な複数のゲート線を有する表示パネルであって、各々の画素ユニットは、ソース線とゲート線との交差部分に形成される、表示パネル；
画像を表示する前記複数の画素ユニットを駆動するように、画像データに従って前記複数のゲート線に対して複数の画像データ及び複数の制御信号を出力する画像駆動モジュール；並びに
タッチ検出装置であって、
複数の検出結果を生成するように、複数のソース駆動信号を受け入れるときに、及び前記複数のゲート線のうちのゲート線がゲート駆動信号を受け入れるときに、前記複数のソース線の波形を連続して検出するタッチ検出ユニット；及び
前記複数の検出結果に従ったタッチイベントの状態と、前記複数のゲート線に対する前記ゲート線の位置とを決定する決定モジュール；
を有するタッチ検出装置；
を有するフラットディスプレイ装置。
【請求項１２】
請求項１１に記載のフラットディスプレイ装置であって、前記決定モジュールは：
複数の比較結果を生成するように、前記複数のソース駆動信号が生成されたときに、前記複数のソース線の波形と前記複数の検出結果を連続して比較する比較ユニット；及び
前記複数の比較結果に従って前記タッチイベントの状態を判定する論理ユニット；
を有する、フラットディスプレイ装置。
【請求項１３】
請求項１２に記載のフラットディスプレイ装置であって、前記論理ユニットは、前記複数の比較結果における比較結果が所定値より大きいときに、前記タッチイベントが比較結果に対応するソース線と前記ゲート線との交差部分において生じると判定する、フラットディスプレイ装置。
【請求項１４】
請求項１２に記載のフラットディスプレイ装置であって、前記論理ユニットは、前記複数の比較結果が所定値より小さいときに、前記タッチイベントが生じないと判定する、フラットディスプレイ装置。
【請求項１５】
請求項１２に記載のフラットディスプレイ装置であって、前記論理ユニットは、前記複数の比較結果における所定量が所定値より小さいときに、誤判定が生じると判定する、フラットディスプレイ装置。
【発明の詳細な説明】
【技術分野】
【０００１】
本発明は、タッチ検出方法、タッチ検出装置及びタッチ表示装置に関し、特に、パネル回路を単純化し、表示品質を改善することが可能であるタッチ検出方法、タッチ検出装置及びタッチ表示装置に関する。
【背景技術】
【０００２】
タッチ表示装置は、便利な操作、高速応答及び省スペースの長所を有し、故に、タッチ表示装置は重要な入力インタフェースになってきていて、多様な家電製品、例えば、携帯情報端末、スマート携帯電話、販売時点情報管理システム（Ｐｏｉｎｔ  ｏｆ  Ｓａｌｅ  Ｓｙｓｔｅｍ（ＰＯＳ））に広く用いられてきている。具体的には、タッチ表示装置は、（液晶又はＣＣＦＬ）表示装置及び透明なタッチパッドを有し、そして詳細には、タッチ機能及び表示機能を達成するように、表示装置に対して透明なタッチパッドを固定することにより製造される。
【０００３】
タッチ表示装置は、検知技術により、抵抗タッチ表示装置、容量タッチ表示装置、光学タッチ表示装置等に分類され、それらの動作原理については、当業者に知られている。しかしながら、抵抗、容量及び光学表示装置は全て、ディスプレイと透明なタッチパネルとの簡単な組み合わせとなっている。例えば、図１Ａ及び１Ｂを参照されたい。図１Ａは、従来技術のタッチ表示装置１０の模式図である一方、図１Ｂは、点Ａ−点Ａ´に沿ったそのタッチ表示装置１０の断面図である。タッチ表示装置１０は、液晶ディスプレイ（ＬＣＤ）パネル１００及び透明なタッチパッド１０２を有する。液晶ディスプレイ（ＬＣＤ）パネル１００及び透明なタッチパッド１０２は、接着剤又は他の材料で共に接着されている。換言すれば、従来技術のタッチ表示装置１０は、タッチ機能及び表示機能の両方を達成するように、液晶ディスプレイ（ＬＣＤ）パネル１００及び透明なタッチパッド１０２を組み合わせた装置である。そのような組み合わせは、液晶ディスプレイ（ＬＣＤ）パネル１００及び透明なタッチパッド１０２のハードウェア構造の一体化の役には立たず、更には、全体的な厚さの増加をもたらし、従って、従来技術のタッチ表示装置１０が改善される必要がある。
【発明の概要】
【発明が解決しようとする課題】
【０００４】
従って、本発明の主な目的は、タッチ検出方法、タッチ検出装置及びタッチ表示装置を提供することである。
【課題を解決するための手段】
【０００５】
本発明においては、フラットパネルディスプレイにおけるタッチイベントを検出するタッチ検出方法について開示している。フラットパネルディスプレイは、複数のソース線と、それらの複数のソース線に対して垂直な複数のゲート線とを有する。タッチ検出方法は、複数のソース駆動信号を受け入れるとき、複数のソース線の波形を連続的に検出する段階と、そして複数の検出結果を得るように、複数のゲート線のうちの１つのゲート線がゲート駆動信号を受け入れるとき、複数の検出結果に従ったタッチイベントの状態及び複数のゲート線に対するそのゲート線の位置を決定する段階と、を有する。
【０００６】
本発明においては、フラットパネルディスプレイにおけるタッチイベントを検出するタッチ検出装置について更に開示している。フラットパネルディスプレイは、複数のソース線と、それらの複数のソース線に対して垂直な複数のゲート線とを有する。タッチ検出装置は、複数のソース駆動信号を受け入れるときに、複数のソース線の波形を連続的に検出するタッチ検出ユニットと、そして複数の検出結果を得るように、複数のゲート線のうちの１つのゲート線がゲート駆動信号を受け入れるときに、複数の検出結果に従ったタッチイベントの状態及び複数のゲート線に対するそのゲート線の位置を決定する決定モジュールと、を有する。
【０００７】
本発明においては、表示パネル、画像駆動モジュール及びタッチ検出装置を有する、表示機能及びタッチ機能を有するフラットパネルディスプレイについて更に開示している。表示パネルは、複数の画素ユニットと、複数のソース線と、それらの複数のソース線に対して垂直な複数のゲート線とを有し、各々の画素ユニットは、ソース線とゲート線との交差部分に形成される。画像駆動モジュールは、画像を表示する複数の画素ユニットを駆動するように、画像データに従って、複数のゲート線に対して複数の制御信号及び複数の画像データを出力するために用いられる。タッチ検出装置は、複数のソース駆動信号を受け入れるときに、複数のソース線の波形を連続的に検出するタッチ検出ユニットと、そして複数の検出結果を得るように、複数のゲート線のうちの１つのゲート線がゲート駆動信号を受け入れるときに、複数の検出結果に従ったタッチイベントの状態及び複数のゲート線に対するそのゲート線の位置を決定する決定モジュールと、を有する。
【０００８】
本発明の上記の及び他の目的は、種々の図に例示されている好適な実施形態についての詳細説明を読むことにより、当業者が理解することができることは疑いのないことである。
【図面の簡単な説明】
【０００９】
【図１Ａ】従来技術に従ったタッチ表示装置の模式図である。
【図１Ｂ】図１Ａのタッチ表示装置の断面図である。
【図２Ａ】本発明の実施形態に従ったタッチ表示装置の模式図である。
【図２Ｂ】図２Ａのタッチ表示装置の断面図である。
【図２Ｃ】図２Ａのタッチ表示装置の機能ブロック図である。
【図３Ａ】図２Ａの画像駆動モジュールの模式図である。
【図３Ｂ】図２Ａの画像駆動モジュールの模式図である。
【図４】図２Ａの検出ユニットの関連信号の模式図である。
【図５】図２Ａの検出ユニットの模式図である。
【図６】図２Ａの比較ユニットの比較結果についての模式図である。
【図７】本発明の実施形態に従ったタッチ検出処理の模式図である。
【発明を実施するための形態】
【００１０】
図２Ａ乃至２Ｃを参照されたい。図２Ａは、本発明の実施形態に従ったタッチ表示装置の模式図である。図２Ｂは、点Ｂから点Ｂ´までの線に沿ったタッチ表示装置２０の断面図であり、図２Ｃは、タッチ表示装置２０の機能ブロック図である。図２Ａ及び２Ｂから理解できるように、タッチ表示装置２０は、液晶表示パネル２００のみによるタッチ機能及び表示機能の両方を実現している。換言すれば、図１においては、タッチイベントを検出する目的を達成するタッチ表示装置２０に設けられる付加的な透明なタッチパッド１０２は必要ない。
【００１１】
詳細に図２Ｃに示しているように、液晶表示パネル２００は、２つの基板間に詰め込まれた液晶により形成される。２つの基板のうちの一の基板は、複数のソース線ＬＳ＿１−ＬＳ＿ｎ、複数のゲート線ＬＧ＿１−ＬＧ＿ｍ及び複数の薄膜トランジスタ（ＴＦＴ）Ｑを備えている。他の基板においては、共通電極が備えられている。液晶表示パネル２００の構造は、当業者に知られていて、本発明の主要な問題ではない。従って、図２Ｃにおいては、簡略化のために、ソース線ＬＳ＿ｂ及びＬＳ＿（ｂ＋１）、ゲート線ＬＹ＿ａ及びＬＹ＿（ａ＋１）並びに４つのＴＦＴ  Ｑのみを有する液晶表示パネルを示している。更に、液晶表示パネル２００の２つの基板の特徴は、等価キャパシタＣにより表される。タッチ検出装置２０は、液晶表示パネル２００の他に、画像駆動モジュール２０２及びタッチ検出装置２０４を更に有する。図示されている画像データに従って、画像駆動モジュール２０２は、等価キャパシタＣの電圧差及び各々のＴＦＴ  Ｑの導電性を制御するように、ソース線ＬＳ＿１−ＬＳ＿ｎに対するソース駆動信号ＤＳ＿１−ＤＳ＿ｎを、及びゲート線ＬＧ＿１−ＬＧ＿ｍに対するゲート駆動信号ＤＧ＿１−ＤＧ＿ｍを出力し、対応する画素のゲートレベルを制御するように、液晶モジュールの構成及び対応する光の透過性を更に変化させる。
【００１２】
画像駆動モジュール２０２は、タッチ表示装置２０において画像を表示するように液晶表示パネル２００を制御するために用いられる要素、回路及びファームウェア等の組み合わせを表すことに留意されたい。実際には、画像駆動モジュール２０２は、タイミングコントローラ、ゲートドライバ、ソースドライバ及び共通電圧発生器を有することが可能である一方、明確化のために、それらは、本発明の概念が影響されないことを前提として、画像駆動モジュール２０２の機能ブロックに対して簡略化されている。同様に、画像駆動モジュール２０２と液晶表示パネル２００との間のインタフェースＩＦＣ１は有形接続又は無形接続全てを表し、適用範囲及びシステムのシステム要件に従って変化することが可能であるが、上記に限定されるものではない。
【００１３】
付加的な透明なタッチパッドを伴わずにタッチ機能及び表示機能を実現するように、タッチ表示装置２０は、指又はオブジェクトによりもたらされた電気的変化を検知するように液晶表示パネル２００において当初形成されたソース線ＬＳ＿１−ＬＳ＿ｎを用いる。従って、彼晶表示パネル２００における各々のゲート線のアクティベーションシーケンスにより、タッチ表示装置２０は、タッチイベントが生じたかどうか、又はどこで、いつ、タッチイベントがタッチ検出装置２０４を介して生じたかを決定する。詳細には、図２Ｃに示すように、タッチ検出装置２０４は、タッチ検出ユニット２０６及び決定モジュール２０８を有する。タッチ検出ユニット２０６は、複数のゲート線ＬＧ＿１−ＬＧ＿ｍのうちの１つのゲート線がゲート駆動信号ＤＧ＿ｙを受け入れ、決定モジュール２０８に対して検出結果ＲＳ＿１−ＲＳ＿ｎを出力するときに、画像駆動モジュール２０２から出力されたソース線ＬＳ＿１−ＬＳ＿ｎの波形を連続して検出するために用いられる。決定モジュール２１０は、画像駆動モジュール２０２がソース駆動信号ＤＳ＿１−ＤＳ＿ｎを生成するとき、ソース線ＬＳ＿１−ＬＳ＿ｎの波形と、検出結果ＲＳ＿１−ＲＳ＿ｎ（即ち、ソース駆動信号ＤＳ＿１−ＤＳ＿ｎが受け入れられたときのソース線ＬＳ＿１−ＬＳ＿ｎの波形）を連続して比較する。論理ユニット２１２は、タッチイベントが生じたかどうかを、並びに／若しくはどこで及びいつ、タッチイベントが比較ユニット２１０により生成された比較結果に従って生じたかを決定する。換言すれば、画像駆動モジュール２０２がゲート線ＬＧ＿ｙをアクティブにするとき、タッチ検出装置２０４は、タッチイベントによりソース駆動信号ＬＳ＿１−ＬＳ＿ｎの波形がソース線ＬＳ＿１−ＬＳ＿ｎにより出力されたインタフェースＩＦＣ２を介してタッチイベントにより影響されたかどうかを連続して検出する。ソース線ＬＳ＿ｘにより出力されたソース駆動信号ＤＳ＿ｘの波形がタッチイベントにより影響される場合、それは、タッチイベントがゲート線ＬＧ＿ｙ及びソース線ＬＳ＿ｘの交差部分において又は近傍において生じることを表す。同様に、順次走査を例としてとると、画像駆動モジュール２０２が画像を完全に表示するように液晶表示パネル２００を駆動するたびに、タッチ検出装置２０４はフル検出を完了する（即ち、各々のポイントの検出を完了する）。飛び越し走査については、画像駆動モジュール２０２が２つの画像を完全に表示するように液晶表示パネル２００を駆動するたびに、タッチ検出装置２０４はフル検出を完了する。上記の動作（画像駆動モジュール２０２がゲート線ＬＧ＿ｙをアクティブにするとき、タッチ検出装置２０４はソース駆動信号ＤＳ＿１−ＤＳ＿ｎの波形の検出を開始する）は、本発明の概念を表すために用いられ、対応する実現性は、異なる要求に従って適切に修正されることが可能である。例えば、画像駆動モジュール２０２のゲート駆動回路の設計は一般に、２つの方式に分類されることが可能である。１つの方式は、ゲート駆動回路が各々のゲート線（ＬＧ−１−ＬＧ−ｍ）に結合されることであり、各々のゲート駆動信号の出力タイミングは、図３Ａに示すように、タイミング制御器により制御される。他の方式は、ゲート駆動信号を適切に遅延させて、遅延されたゲート駆動信号を次のゲート線に移すために、ゲート駆動回路は単に、最初のゲート線（ＬＧ−１）に結合され、遅延ユニットは隣接するゲート線に結合されている。しかしながら、どのような種類のゲート駆動方法が採用されようと、画像を適切に表示するために、タイミング制御器は、ゲート線ＬＧ＿１−ＬＧ＿ｍがゲート駆動信号ＤＧ＿１−ＤＧ＿ｍを受け入れる時間についての十分な情報を有する。従って、決定モジュール２０８はタッチイベントの状態を決定する。即ち、タッチ検出装置２０４を実行しながら、タッチ検出ユニット２０６は、ゲート線ＬＧ＿１−ＬＧ＿ｍのアクティベーションに関連する特定のタイミングに従ってソース線ＬＳ＿１−ＬＳ＿ｎに出力されたソース駆動信号の波動を連続して検出する。タッチ検出ユニット２０６の検出結果が、タッチが特定のソース線上で生じることを示すとき、決定モジュール２０８は、タッチが生じた位置を確認するように、検出結果の時間に従って対応するゲート線を決定する。
【００１４】
従って、画像駆動モジュール２０２がライン反転駆動又は反転駆動を採用するときの複数のソース線ＬＳ＿１−ＬＳ＿ｎにおける各々のソース線に関して、タッチ検出ユニット２０６の検出結果が図４に示されている。図４においては、連続している線は、タッチが生じていないときにソース駆動信号の波形を表す一方、ドット線は、タッチが生じたときにソース駆動信号の波形を表す。更に、明確化のために、図４は、同じ階調の波形を有するタッチ検出ユニット２０６の検出結果を表している。更に、タッチが生じたとき、ソース駆動信号の波形が影響を受けて、異なるようになることが、図４から理解できる。更に、ソース駆動信号の振幅が異なる階調の下で変化するために、タッチイベントが生じたかどうかを正確に比較するために、比較ユニット２１０は、ゲート駆動回路により出力された信号の波形とタッチ検出ユニット２０６により検出される波形を比較する。その実施形態を実現するように、図５に示すように、サンプルアンドホールド回路ＳＨ＿Ｉ−ＳＨ＿ｎがタッチ検出ユニット２０６を実行するように用いられ、加算器ＡＤＤ＿１−ＡＤＤ＿ｎが比較ユニット２１０を実行するように用いられる。
【００１５】
図５においては、画像駆動モジュール２０２から出力されたソース駆動信号ＤＳ＿１−ＤＳ＿ｎが増幅器ＡＭＰ＿１−ＡＭＰ＿ｎにより増幅され、ソース線ＬＳ＿１−ＬＳ＿ｎに出力される。従って、サンプルアンドホールド回路ＳＨ＿１−ＳＨ＿ｎを介して、増幅器ＡＭＰ＿１−ＡＭＰ＿ｎの処理を行わないソース駆動信号ＤＳ＿１−ＤＳ＿ｎが、結果をサンプリングするようにサンプリングされて、記憶される。次に、加算器ＡＤＤ＿１−ＡＤＤ＿ｎを介して、サンプルアンドホールド回路ＳＨ＿１−ＳＨ＿ｎのサンプリング結果は、ソース線ＬＳ＿１−ＬＳ＿ｎに出力されたソース駆動信号ＤＳ＿１−ＤＳ＿ｎを減算する。そのような環境下で、論理ユニット２１２は、タッチイベントが生じたかどうかを判定するように、ソース駆動信号の差の値が加算器ＡＤＤ＿１−ＡＤＤ＿ｎの減算結果に従って所定の値より大きいかどうかを判定する。
【００１６】
上記から理解できるように、付加的な透明なタッチパッドを伴わずにタッチ機能及び表示機能を実現する利点の他に、タッチ検出装置２０４は、ソース二次元駆動信号ＤＳ＿１−ＤＳ＿ｎの波形を単に検出することにより二次元座標系においてタッチが生じた位置と、ゲート線ＬＧ＿１−ＬＧ＿ｍがゲート駆動信号ＤＳ＿１−ＤＳ＿ｍを受け入れる時間とを得ることが可能である。その修正又は変化は本発明の範囲内にあることを留意されたい。例えば、タッチ検出ユニット２０６を用いる目的は、各々のゲート駆動信号の波形が実現されたことをタイムリーに検出することである。従って、各々のゲート駆動信号の検出は、図４における特定の時間Δｔ、即ち、（Ｔ０＋Δｔ）、（Ｔ１＋Δｔ）、（Ｔ２十Δｔ）等において実行されることが可能である。更に、その検出をアクティブにするタッチ検出ユニット２０５の基礎は、ゲート線ＬＧ＿１−ＬＧ＿ｍがゲート駆動信号ＤＧ＿１−ＤＧ＿ｍを受け入れている時間にのみ関連するようにする必要がある。例えば、ゲート線ＬＧ＿１及びＬＧ＿ｍが液晶表示パネル２００の非表示領域に配置されている場合、タッチ検出ユニット２０６は、ゲート線ＬＧ＿１がゲート駆動信号ＤＧ＿１を受け入れた後の特定の時間にアクティブにされ、ゲート線ＬＧ＿ｍがゲート駆動信号ＤＧ＿ｍを受け入れるときにデアクティブにされるように設計されることが可能である。更に、誤判定検出機構が付加されることが可能である。例えば、比較結果の所定量が同時に所定値より大きいとき、論理ユニット２１２は、誤判定が生じたことを判定することが可能である。
【００１７】
他方、指が、複数のソース線ＬＳ＿１−ＬＳ＿ｎの中の１つの特定のソース線に置かれるとき、そのソース線の電気的特徴における変化がもたらされる。しかしながら、この変化の範囲は、同じキャパシタＣの電気的特徴の変化範囲よりかなり小さい。従って、波形の差値（即ち、比較ユニット２１０の比較結果）を観測して、タッチポイントに対応するゲート線がアクティブにされるときにのみ、波形の差値はかなり増加する。例えば、図６は、ディジタルフォーマットにある各々のソース線ＬＳ＿ｘに対応する波形の差値（即ち、比較ユニット２１０の比較結果）を示している。図６から理解できるように、時間Ｔ２と時間Ｔ３との間で、波形の差値は、閾値ＴＨを越え、従って、タッチイベントは、ゲート線ＬＧ＿（ｙ＋２）とソース線ＬＳ＿ｘとの交差部分において生じるとして決定される。更に、図６から、タッチポイントの近傍において（即ち、時間Ｔ２及び時間Ｔ３に近接して）、波形の変化値がゆっくり変化する。従って、誤判定がされたかどうかが判定される。例えば、波形の差値は閾値ＴＨを越えたが、近傍において波形の他の差値が影響されない場合、波形のその差値は誤りがあると判定され得る。
【００１８】
上記のように、従来技術のタッチ表示装置は、タッチ機能及び表示機能の両方を実現するように、液晶表示パネル及び透明なタッチパッドを組み合わせた装置である。そのような組み合わせは、ハードウェア構造の一体化の助けにはならず、全体的な厚さの増加を更にもたらし得る。それに比べて、本発明においては、指又はオブジェクトによりもたらされる電気的変化を検知するように液晶表示パネルにおいて元々形成されているソース線ＬＳ＿１−ＬＳ＿ｎを用いる。従って、液晶表示パネルにおける各々のゲート線のアクティベーションシーケンスにより、タッチ表示装置は、タッチイベントが生じたかどうかを、及び／又はどこで、いつ、タッチイベントがタッチ検出装置を介して生じたかを判定する。
【００１９】
更に、上記のタッチ検出装置２０４の動作は、図７に示しているように、タッチ検出処理７０に含まれることが可能である。タッチ検出処理７０は次のステップであって、
ステップ７００：開始
ステップ７０２：タッチ検出ユニット２０６は、検出結果ＲＳ＿１−ＲＳ＿ｎを生成するように、ゲート線ＬＧ＿ｙがゲート駆動信号ＤＧ＿ｙを受け入れるとき、ソース駆動信号ＤＳ＿１−ＤＳ＿ｎを受け入れるソース線ＬＳ＿１−ＬＳ＿ｎの波形を連続して検出する。
ステップ７０４：比較ユニット２１０は、複数の比較結果を生成するように、ソース駆動信号ＤＳ＿１−ＤＳ＿ｎが生成されるとき、ソース線波形と検出結果ＲＳ＿１−ＲＳ＿ｎを連続して比較する。
ステップ７０６：論理ユニット２１２は、比較ユニット２１０の比較結果及びゲート線ＬＧ＿１−ＬＧ＿ｍに対するゲート線ＬＧ＿ｙの位置に従って、タッチイベントの状態を決定する。
ステップ７０８：終了
タッチ検出処理７０は、タッチ検出装置２０４の動作を解釈するために用いられていて、詳細については上記説明を参照することができる。
【００２０】
要約すると、ソース駆動信号の波形を検出することにより、本発明は、タッチイベントが生じたかどうか、及び／又はどこで、いつ、タッチイベントが各々のゲート線のアクティベーションシーケンスと共に生じたかを判定する。従って、本発明においては、付加的な透明なタッチパッドを必要とすることがなく、従って、パネル回路を簡略化し、開口率を改善し、表示品質を改善し、製造コストを低減する目的が、現実的に達成される。
【００２１】
当業者は、本発明の教示を維持しつつ、装置及び方法の多くの改善及び変形を実行することが可能であることを容易に理解することができる。
【符号の説明】
【００２２】
２０２  画像駆動モジュール
２０６  タッチ検出ユニット
２１０  比較ユニット
２１２  論理ユニット
【図１Ａ】
2011165190.tif 000003
【図１Ｂ】
2011165190.tif 000004
【図２Ａ】
2011165190.tif 000005
【図２Ｂ】
2011165190.tif 000006
【図２Ｃ】
2011165190.tif 000007
【図３Ａ】
2011165190.tif 000008
【図３Ｂ】
2011165190.tif 000009
【図４】
2011165190.tif 000010
【図５】
2011165190.tif 000011
【図６】
2011165190.tif 000012
【図７】
2011165190.tif 000013